(57)【特許請求の範囲】
【請求項１】
エレベータの戸に取り付けられ、敷居溝内に挿入されるシュー本体と、
上記シュー本体の両側面で、上記シュー本体と上記敷居溝の側壁との間に設けられ、少なくとも一部が上記シュー本体から離れるように可動に上記シュー本体に枢着された第１および第２のガイド板と、
上記シュー本体に枢着されて、上記第１および第２のガイド板の間に設けられ、上記シュー本体に対する上記第１および第２のガイド板の一方の変位を梃子作用によって所定の倍率で拡大して上記第１および第２のガイド板の他方の変位に変換させるレバー機構とを備え、
上記第１および第２のガイド板のいずれか一方が上記敷居溝の側壁に押し付けられて上記シュー本体に対して近接したとき、上記第１および第２のガイド板の他方が上記レバー機構によって上記所定の倍率で上記シュー本体から離されて上記敷居溝の上記側壁に押圧されるようにしてあることを特徴とするエレベータの戸の脚。
【請求項２】
上記第１および第２のガイド板は、上端が対面する上記敷居溝に対して近付く方向にばね偏倚された枢着点で枢支されて所定位置に保持されており、下端が対面する上記敷居溝に対して近付く方向にばね偏倚されて所定位置に保持されていることを特徴とする請求項１に記載のエレベータの戸の脚。
【請求項３】
上記レバー機構は、上記枢着点に近い位置で上記シュー本体に枢着された第１端と、上記第１のガイド板の上記下端より上記上端に近い位置に当接した第２端と、上記第２のガイド板の上記上端より上記下端に近い位置に当接した第３端とを備えていることを特徴とする請求項２に記載のエレベータの戸の脚。
【請求項４】
上記レバー機構は、上記第１および第２のガイド板の間に互いに左右対称関係に１対設けられていることを特徴とする請求項１〜３のいずれか一項に記載のエレベータの戸の脚。
【発明の詳細な説明】
【技術分野】
【０００１】
この発明はエレベータの乗場あるいはかごの出入口を開閉するエレベータの戸の脚に関するものである。
【背景技術】
【０００２】
従来構造のエレベータの戸の脚は、戸の下縁から下方に突出して敷居溝内に摺動可能に受け入れられていて、戸の開閉に伴い敷居の溝内を摺動して戸を敷居溝に沿って案内する機能を有している。戸は滑らかな開閉が要求される一方で、異物が衝突しても容易には戸の案内脚が敷居溝から外れぬような寸法関係に構成されている（例えば特許文献１〜３参照）。
【先行技術文献】
【特許文献】
【０００３】
【特許文献１】特開平１１−２４０６８３号公報
【特許文献２】特開２００４−１８２６２号公報
【特許文献３】特開２００５−１８３１号公報
【発明の概要】
【発明が解決しようとする課題】
【０００４】
このような従来のエレベータの戸の脚においては、戸への物の異常な衝突等があった場合に一旦戸の脚が敷居溝から外れるようなことがあると、敷居溝に案内脚を戻して戸を再び滑らかに開閉できるように復旧させるのに時間が掛かることがあった。
【０００５】
従ってこの発明の目的は、異物による異常な衝突を受けてもエレベータの戸が敷居溝から外れるのを防ぐことができるエレベータの戸の脚を提供することである。
【課題を解決するための手段】
【０００６】
この発明のエレベータの戸の脚は、エレベータの戸に取り付けられ、敷居溝内に挿入されるシュー本体と、上記シュー本体の両側面で、上記シュー本体と上記敷居溝の側壁との間に設けられ、少なくとも一部が上記シュー本体から離れるように可動に上記シュー本体に枢着された第１および第２のガイド板と、上記シュー本体に枢着されて、上記第１および第２のガイド板の間に設けられ、上記シュー本体に対する上記第１および第２のガイド板の一方の変位を梃子作用によって所定の倍率で拡大して上記第１および第２のガイド板の他方の変位に変換させるレバー機構とを備え、上記第１および第２のガイド板のいずれか一方が上記敷居溝の側壁に押し付けられて上記シュー本体に対して近接したとき、上記第１および第２のガイド板の他方が上記レバー機構によって上記所定の倍率で上記シュー本体から離されて上記敷居溝の上記側壁に押圧されるようにしてあることを特徴とするものである。
【発明の効果】
【０００７】
この発明のエレベータの戸の脚は、エレベータの戸に異物が衝突しても敷居溝から容易には外れない。
【図面の簡単な説明】
【０００８】
【図１】この発明のエレベータの戸のガイドシューの実施の形態１を示す概略正面断面図であり、図２の線Ｉ−Ｉｎｉ沿った図である。
【図２】図１の線ＩＩ−ＩＩに沿った概略断面図である。
【図３】図１の線ＩＩＩ−ＩＩＩに沿った概略断面図である。
【図４】図２の戸に図２の左側から物が衝突して戸が敷居溝内で右に動いたときの戸のガイドシューの状態を示す図である。
【図５】図２の戸が図２で左に動いたときのガイドシューの状態を示す図である。
【図６】図３の戸が敷居溝内で図において右に動いたときのガイドシューの状態を示す図である。
【図７】図３の戸が敷居溝内で図において左に動いたときのガイドシューの状態を示す図である。
【図８】この発明のエレベータの戸のガイドシューの実施の形態２を示す図２と同様の概略正面断面図である。
【発明を実施するための形態】
【０００９】
以下、この発明をより詳細に説明するため、この発明のエレベータの戸の脚の実施の形態を添付の図面を参照して説明する。なお、各図中、同一又は相当する部分には同一の符号を付しており、その重複説明は適宜に簡略化あるいは省略する。
【００１０】
実施の形態１．
図１〜３において、この発明のエレベータの戸の脚は、エレベータの乗場あるいはかごの出入口を開閉する戸１の下縁部に取り付けられていて、敷居２の敷居溝３内に受け入れられていて、戸１の開閉時に敷居溝３に沿って摺動して戸１を案内するものである。エレベータの戸の脚は、取り付けブラケット４によってエレベータの戸１に取り付けられ、敷居溝３内に挿入される、全体として直方体形状のシュー本体５を備えている。シュー本体５の両側面６および７には、シュー本体５と敷居溝３の側壁８および９との間に設けられ、少なくとも一部がシュー本体５から離れるように可動にシュー本体５に枢着ピンである枢着点１０によって枢着された矩形板状の第１のガイド板１１および第２のガイド板１２が設けられている。
【００１１】
第１および第２のガイド板１１および１２は、上端１３が対面する敷居溝３の側壁８あるいは９に対して近付く方向にばね１４でばね偏倚された枢着点１０で枢支されて所定位置に保持されており、下端１５が対面する敷居溝３の側壁８あるいは９に対して近付く方向にばね１６でばね偏倚されて所定位置に保持されている。すなわち、シュー本体５には、第１のガイド板１１の四隅近くに対応した位置に、ばね１４および１６を収容したシリンダ状のばね受け１７が設けられていて、上端１３側のばね受け１７内にはばね１４で偏倚されて摺動可能に設けられたピストン状の摺動部材１８が設けられており、下端１５側のばね受け１７内にはばね１６で偏倚されて摺動可能に設けられたピストン状の摺動部材１９が設けられている。上端１３側の２つの摺動部材１８には枢着ピンである枢着点１０を介して第１および第２のガイド板１１および１２が連結されている。下端１５側のばね偏倚された２つの摺動部材１９は第１および第２のガイド板１１および１２の下端１５に単に当接しているだけである。従って、第１および第２のガイド板１１および１２の上端１３側は、シュー本体５に対してシュー本体５の敷居溝３の側壁８あるいは９に向かう幅方向に移動できるように弾性的に支持されており、同時に枢着点１０回りに回動することもできる。第１および第２のガイド板１１および１２の下端１５側は、シュー本体５から完全に離れて外側に拡がることができる。
【００１２】
エレベータの戸の脚はまた、シュー本体５にピン２０によって枢着されて、第１および第２のガイド板１１および１２の間に設けられ、シュー本体５に対する第１および第２のガイド板１１および１２の一方の変位を梃子作用によって所定の倍率で拡大して第１および第２のガイド板１１および１２の他方の変位に変換させるレバー機構２１を備えている。このレバー機構２１は、第１および第２のガイド板１１および１２のいずれか一方が敷居溝３の側壁８あるいは９に押し付けられてシュー本体５に対して近接したとき、そのシュー本体５に対する移動量を所定の倍率で拡大して、第１および第２のガイド板１１および１２の他方がシュー本体５から離されて敷居溝３の側壁８あるいは９に押圧されるように作用するものである。
【００１３】
レバー機構２１は、第１および第２のガイド板１１および１２の枢着点１０に近い位置で枢着ピン２０によってシュー本体５に枢着された第１端２２と、第１のガイド板１１の下端１５より上端１３に近い位置に当接してほぼ水平方向の力が作用する第２端２３と、第２のガイド板１２の上端１３より下端１５に近い位置に当接してほぼ水平方向の力が作用する第３端２４とを備えている。レバー機構２１が回動したときの第２端２３および第３端２４の移動距離の比は、レバー機構２１の第１端２２の枢着点１０に対する第２端２３および第３端２４の作用線までの距離の比となり、図示の例では移動距離の比は約１：６である。また、第１のガイド板１１の枢着点１０からのレバー機構２１の第３端２４までの距離と、第１のガイド板１１の敷居溝３の側壁８に当接する下端１５までの距離との比は、約５：６である。また、第２のガイド板１２の枢着点１０からのレバー機構２１の第２端２３までの距離と、第２のガイド板１２の側壁９に当接する下端１５までの距離との比は、約１：６である。すなわち、レバー機構２１は、第１および第２のガイド板１１および１２のいずれか一方が敷居溝３の側壁８あるいは９に押し付けられてシュー本体５に対して近接したとき、そのシュー本体５に対する移動量を約６倍に拡大して、第１および第２のガイド板１１および１２の他方がシュー本体５から離されて敷居溝３の側壁８あるいは９に押圧させるものである。
【００１４】
また、図示の例では、レバー機構２１は、第１および第２のガイド板１１および１２の間に互いに左右対称関係に１対設けられている。すなわち、レバー機構２１は図１に示すように敷居溝３の延長方向に並べて配置されており、また、図２および３に示すようにレバー機構２１の姿勢が互いに左右対称の関係となるように配置されている。
【００１５】
図４には、エレベータの戸１に図２の左側から物が衝突して戸１が敷居溝３内で右に動いたときの図２のレバー機構２１の状態を示し、図５には、エレベータの戸１が図２で左に動いたときの図２のレバー機構２１の状態を示してある。すなわち、エレベータの戸１に物が衝突するなどして戸１が左から右に動かされたとき、戸の脚も敷居溝３内で右に動かされ、図４で右側の第１のガイド板１１が敷居溝３の側壁８に当たって、ばね１４および１６のばね作用力に抗してシュー本体５の側面６に押し付けられる。このとき第１のガイド板１１は、レバー機構２１の第２端２３にも当接して、第１端２２の枢着ピン２０を中心にレバー機構２１を図４で時計方向に回動させ、第３端２４をシュー本体５の図４で左側の側面７から大きく突き出させる。突き出したレバー機構２１の第３端２４は、第２のガイド板１２を内側から押して枢着点１０を中心に時計方向に回動させ、第２のガイド板１２の下端１５が敷居溝３の図４で左側の側壁９に押圧され、戸の脚が敷居溝３から抜け出てしまうのを防ぐことができる。
【００１６】
図５に示すように、エレベータの戸１が右から左に動かされたとき、戸の脚は敷居溝３内で図４の左側の第２のガイド板１２が敷居溝３の側壁８に当たって、ばね１４および１６のばね作用力に抗してシュー本体５の側面７に押し付けられる。このとき第２のガイド板１２は、レバー機構２１の第３端２４にも当接して、第１端２２の枢着ピン２０を中心にレバー機構２１を図５で反時計方向に回動させ、第２端２３をシュー本体５の図４で右側の側面６から突き出させる。こうしてシュー本体５から突き出したレバー機構２１の第２端２３は、第１のガイド板１１を内側から押して枢着点１０を中心に反時計方向に回動させ、第１のガイド板１２の下端１５が敷居溝３の図４で右側の側壁８に押圧され、戸の脚が敷居溝３から抜け出てしまうのを防ぐことができる。
【００１７】
図６には、エレベータの戸１に図３の左側から物が衝突して戸１が敷居溝３内で右に動いたときの図３のレバー機構２１の状態を示し、図７には、エレベータの戸１が図３で左に動いたときの図３のレバー機構２１の状態を示してある。図３に示すレバー機構２１は、図２に示すレバー機構２１に対して同じ構成で姿勢だけが互いに左右対称の関係となるように配置されているので、図３のレバー機構２１の動作も図６および７に示すように、図２のレバー機構２１の動作に対して左右対称となるだけで同じである。
【００１８】
このような構造とすることにより、戸１が押されて戸の脚が敷居溝３に押し付けられたときに、第１および第２のガイド板１１および１２が広がり、敷居溝３内で戸の脚の幅が広がり突っ張ることで敷居溝３から戸の脚が外れ難くなる。また、第１および第２のガイド板１１および１２はそれぞればね１４および１６によって弾性支持されているので、通常使用時に側面部が通常の範囲内の力で押されても、敷居溝３内で戸の脚の幅が広がらず突っ張ることはないので、通常使用状態を維持できる。
【００１９】
実施の形態２．
図８に示すエレベータの戸の脚においては、それ自体が左右対称なレバー機構２１を備えている。その他の構成は実施の形態１について説明したものと同様でよい。
【００２０】
以上に図示して説明したエレベータの戸の脚は単なる例であって様々な変形が可能であり、またそれぞれの具体例の特徴を全てあるいは選択的に組み合わせて用いることもできる。
【産業上の利用可能性】
【００２１】
この発明はエレベータの戸の脚に利用できるものである。
【符号の説明】
【００２２】
１  戸、２  敷居、３  敷居溝、４  ブラケット、５  シュー本体、６  側面、７  側面、８  側壁、９  側壁、１０  枢着点、１１  第１のガイド板、１２  第２のガイド板、１３  上端、１４  下端、１５  下端、１６  ばね、１７  ばね受け、１８  摺動部材、１９  摺動部材、２０  枢着ピン、２１  レバー機構、２２  第１端、２３  第２端、２４  第３端。
【図１】
0005586265.tif 000002
【図２】
0005586265.tif 000003
【図３】
0005586265.tif 000004
【図４】
0005586265.tif 000005
【図５】
0005586265.tif 000006
【図６】
0005586265.tif 000007
【図７】
0005586265.tif 000008
【図８】
0005586265.tif 000009